(57)【特許請求の範囲】
【請求項１】
浴室、シャワールーム等の壁面に取り付けられた手すりにそってスライドするスライド体であって、
その横方向一端部に設けられて前記手すりを挿通する貫通孔と、
この貫通孔内に手すりをその両側部から挟むように設けられた一対の手すり受けと、
スライド体の他端部に設けられてスライド体の長手方向に開放する切欠きによりシャワーヘッドを掛け外し自在に支持するハンガー部と、
貫通孔とハンガー部の間のスライド体に設けられて前記一対の手すり受けで手すりを挟んだ状態でスライド体の位置を固定する締付け操作をする操作レバーとを有し、
二つのプレート、二つのプレートのうち一方のプレートを他方のプレート側に付勢させるコイルばね、二つのプレートのうち他方のプレートを一方のプレート側に付勢させるコイルばねおよび両プレート間に挟まれるボールとを用いて前記一対の手すり受けの挟持力を調節するため、他方のプレートとして操作レバーの回転に連動して回転する回転プレートを設けるとともに、
手すりの一側部側に位置する前記手すり受けが連結され回転プレートを回転操作することによりボールの手すり側への移動分だけ手すり側に移動可能な移動プレートを一方のプレートとして設けたことを特徴とするスライド式シャワーハンガー。
【発明の詳細な説明】
【０００１】
【発明の属する技術分野】
本発明は、浴室、シャワールーム等の壁面に取り付けられた手すり等の手すりにシャワーヘッドをスライド可能に取り付けるためのスライド式シャワーハンガーに関する。
【０００２】
【従来の技術】
従来より、この種のシャワーハンガーとして、例えばスライド体の正面視左側で手すりの左側に操作レバーが位置し、スライド体の正面視右側で手すりの右側に開放してシャワーヘッドを手前から掛け止めする切欠きを有するハンガー部を設けたシャワーハンガーがある。また、この種のシャワーハンガーは、スライド体を手すりに固定し、前記ハンガー部をスライド体の長手方向を軸線として回転可能とし、このハンガー部の傾斜角度を調節できるものや、ビスを用いたネジ操作によりスライド体を手すりに固定して使用者の身長等に合わせてシャワーの散水位置を可変にできるものが提案されている。
【０００３】
【発明が解決しようとする課題】
しかしながら、上述した従来のシャワーハンガーは、右利きのシャワーハンガーであったとしても手すりの左側に操作レバーを有しているので、右手でシャワーヘッドを持ち、左手で操作レバーを操作する必要があり、シャワーヘッドの位置合わせをするときは、両方の手を使う必要があった。また、使用者は操作レバーを持ってシャワーハンガーの上下移動をすることになるので、レバーと手すりとの間に回転トルクがかかり、スライド体に捩じれが生じたりスライド体が斜めに傾くなどして、操作性が悪くなったり、手すりに傷を付けることがあった。
【０００４】
加えて、上述のシャワーハンガーはスライド体の左右に操作レバーとハンガー部を有し、操作レバーとハンガー部との間に手すりを固定しているので、操作レバーとハンガー部を左右に逆転配置させて使用することができなかった。つまり、上記右利き用のハンガー部を取り付けたシャワーハンガーを、左利きの人が使用できるようにハンガー部を左側に位置させようと、スライド体を手すりを中心に１８０°回動させようとしても操作レバーまたはハンガー部が壁面に当たって回転が阻止されるためにそうすることができなかった。
【０００５】
また、上記右利き用のハンガー部の切欠きは、ハンガー部が右側にある状態でシャワーヘッドを前方から掛け外し自在に支持するように手前側に開放されているため、たとえこのハンガー部を手すりを中心に１８０°回動できたとしても、ハンガー部が壁面に向かって開放するようになる。このため、シャワーヘッドを掛け外ししにくく、使い勝手が悪くなることは避けられなかった。すなわち、右利きのハンガー部を取り付けたシャワーハンガーはハンガー部を左利き用のハンガー部に取り替えないかぎり、左利きの人が使用するのに不便を感じなければならなかった。
【０００６】
本発明はこのような実情を考慮に入れてなされたものであって、使用者が右利きであっても左利きであっても使い勝手がよく、任意の角度でシャワーヘッドを固定でき、操作性がよいスライド式シャワーハンガーを提供することを目的としている。
【０００７】
【課題を解決するための手段】
すなわち、本発明のスライド式シャワーハンガーは、浴室、シャワールーム等の壁面に取り付けられた手すりにそってスライドするスライド体であって、
その横方向一端部に設けられて前記手すりを挿通する貫通孔と、
この貫通孔内に手すりをその両側部から挟むように設けられた一対の手すり受けと、
スライド体の他端部に設けられてスライド体の長手方向に開放する切欠きによりシャワーヘッドを掛け外し自在に支持するハンガー部と、
貫通孔とハンガー部の間のスライド体に設けられて前記一対の手すり受けで手すりを挟んだ状態でスライド体の位置を固定する締付け操作をする操作レバーとを有し、
二つのプレート、二つのプレートのうち一方のプレートを他方のプレート側に付勢させるコイルばね、二つのプレートのうち他方のプレートを一方のプレート側に付勢させるコイルばねおよび両プレート間に挟まれるボールとを用いて前記一対の手すり受けの挟持力を調節するため、他方のプレートとして操作レバーの回転に連動して回転する回転プレートを設けるとともに、
手すりの一側部側に位置する前記手すり受けが連結され回転プレートを回転操作することによりボールの手すり側への移動分だけ手すり側に移動可能な移動プレートを一方のプレートとして設けたことを特徴としている。
【０００８】
上述のスライド式シャワーハンガーは、手すりとハンガー部との間に操作レバーを有しているので、シャワーヘッドを持ったその手で操作レバーを操作してシャワーハンガーの上下位置を変更できる。したがって、使用者は本発明のスライド式シャワーハンガーを片手で操作することができ、操作性がよくなる。
【０００９】
また、シャワーヘッドを持った手で操作レバーを操作するので、シャワーハンガーを上下動させるときに、使用者は無意識のうちにシャワーヘッドの角度を一定に保ったまま操作レバーを操作しようとする。このため、使用者は無意識のうちにハンガー部に回転トルクをかけないように操作レバーを回動でき、シャワーハンガーを上下動できるので、シャワーハンガーに無理な捩じれの力を加えてしまったり、これを斜めに傾けてしまうことがなくなる。したがって、シャワーハンガーの傾動または捩じれによる手すりの傷みを防止できるとともに、操作性が良くなる。
【００１０】
また、ハンガー部はスライド体の長手方向（スライド体の一端部に設けた貫通孔と逆の方向）に開放する切欠きを有しているので、手すりに対するハンガー部の設置角度がどの位置であっても、ハンガー部に対してシャワーヘッドを容易に掛け外しすることができる。したがって、右利きの人はハンガー部が手すりの右側に位置するように位置調整すればよく、左利きの人は左側に位置させればよい。さらには、ハンガー部を手摺の手前側に位置させるなど、任意の角度に変更可能であり、使い勝手が良い。
【００１１】
【発明の実施の形態】
図１〜４は本発明のスライド式シャワーハンガー（以下、単にシャワーハンガーという）の一例を示す全体図であり、図１は斜視図、図２は分解斜視図、図３は水平断面図、図４は縦断面図である。これらの図において、１はシャワーハンガーであり、このシャワーハンガー１は浴室、シャワールーム等の壁面に取り付けられた手すり２に沿ってスライドするスライド体であって、その横方向の一端部には手すり２を挿通する貫通孔３を形成し、他端部にはシャワーヘッド４を掛け外し自在に支持するハンガー部５を設けると共に、貫通孔３とハンガー部５との間に操作レバー６を設けている。
【００１２】
前記ハンガー部５の断面形状は、特に水平断面図である図３に示しているように、ほぼＣ字状であって切欠き５ａを有しており、かつ、その切欠き５ａはシャワーハンガー１の長手方向Ｘに開放している。すなわち、シャワーハンガー１の一端部に設けた貫通孔３と逆の方向に開放するように設けている。さらに、このハンガー部５はその全体がシャワーハンガー１の長手方向Ｘを中心とする後述の軸芯５ｂを中心に回動自在に形成している。
【００１３】
また、前記操作レバー６はシャワーハンガー１の軸芯５ｂを中心に回動自在となるように設けた胴部６ａに形成しており、例えば操作レバー６が、図１（Ｂ）に一点鎖線で図示しているように、上向きになっている状態で、シャワーハンガー１は貫通孔３を中心に回動自在かつスライド自在の開放状態となる。そして、例えば前記操作レバー６を、図１（Ａ），（Ｂ）に実線で示したように、左右何れかの方向に４５°傾動した状態で、シャワーハンガー１は手すり２に対して固定できるようにしている。
【００１４】
このシャワーハンガー１の内部にはスライド体本体１ａが設けられ、このスライド体本体１ａの一端部の貫通孔３に対応する位置には、貫通孔部３ａを形成している。また、この貫通孔部３ａの内周面には、手すり２をその両側部から挟むことにより手すり２に対するスライド体本体１ａのスライドおよび回動を阻止し、前記挟持力を小さくすることによりスライドおよび回動自在とする一対の手すり受け３ｂを設けている。
【００１５】
一方、前記スライド体本体１ａの他端部には前記ハンガー部５を回動自在に取付ける軸芯５ｂを設けており、この軸芯５ｂにナット５ｃと樹脂カバー５ｄによって取り付けられる。
【００１６】
前記軸芯５ｂに差し込むように挿入されるコイルばね６ｂ’と、２枚のプレート６ｃ，６ｄと、プレート６ｃ，６ｄに挟まれる２つのボール６ｅと、二つのプレート６ｃ，６ｄのうち一方のプレート６ｃを他方のプレート６ｄ側に付勢させるコイルばね６ｂは、前記手すり受け３ｂの挟持力を調節する機構である。なお、コイルばね６ｂ’は他方のプレート６ｄを一方のプレート６ｃ側に付勢させうる。
【００１７】
図５は手すり受け３ｂの付勢力を調節する機構を説明するための一部平面断面図であり、図５（Ａ）は手すり受け３ｂの付勢力を解除した状態を示し、図５（Ｂ）は手すり受け３ｂを付勢した状態を示している。つまり、胴部６ａの内周面に設けた突起６ｆによってプレート６ｄを回動操作することにより、操作レバー６に連動してプレート６ｄを回動させることができ、プレート６ｃに連結された手すり受け３ｂを突出させることができる。すなわち、操作レバー６の回転動作で手すり２に対するシャワーハンガー１の回動およびスライドを固定／開放することができる。
【００１８】
なお、本例では、操作レバー６を上に位置させているときにシャワーハンガー１の回動およびスライドを開放するようにしているが、この操作レバー６の位置，数および角度はこれに限られるものではなく種々に変更可能である。例えば、前記操作レバー６を左右に９０°傾動した状態で固定できるようにしてもよい。また、操作レバー６を上に位置した状態で固定し、傾動した状態で解除するようにしてもよい。さらには、操作レバー６を左右に２つ設けて、操作レバー６の水平状態と傾動状態で固定／開放状態の切換えをしてもよい。
【００１９】
本発明のように、シャワーハンガー１の横方向一端部に貫通孔３を設け、他端部に回動可能に切欠きによりシャワーヘッド４を掛け外し自在に支持するハンガー部５を設けて、この貫通孔３とハンガー部５の間に操作レバー６を設けることによって、貫通孔３から見て同じ方向に操作レバー６とハンガー部５が位置する。したがって、使用者は利き手でシャワーハンガー１の位置および角度を調整するとともに、その同じ手で操作レバー６を操作することができる。つまり、片手でシャワーハンガー１の位置替えを行うことができる。
【００２０】
加えて、シャワーヘッド４を持ったその手で操作レバー６を操作して、シャワーハンガー１の位置および角度を調整する場合、使用者はシャワーハンガー１を上下スライドさせるときに、無意識のうちにシャワーヘッド４が同じ角度を維持するように操作することができる。したがって、貫通孔３に無理な回転トルクをかけてしまったり、捩じれの力をかけてしまうことが少なくなり、操作性が向上すると共に、パイプに傷などを付けてしまうことがない。
【００２１】
さらに、貫通孔３から見て同じ方向に操作レバー６とハンガー部５が位置すると共に、ハンガー部５の切欠き５ａが貫通孔３と反対の方向に向かって開放しているので、本発明のシャワーハンガー１はどの角度に設定しても必ずシャワーヘッド４を掛けやすい状態になる。したがって、使用者の好みに合わせて、任意の角度にシャワーハンガー１を設定できる自由度があり、右利き左利きに係わらず全ての人にとって使い勝手がよくなる。
【００２２】
【発明の効果】
以上詳述したように、本発明のスライド式シャワーハンガーは、手すりとハンガー部との間に操作レバーを有しているので、シャワーヘッドの挿脱および上下動を片手で行える。また、シャワーヘッドを持った手で操作レバーを操作することにより、操作レバーによってシャワーハンガーを上下動させるときに、使用者は無意識のうちにシャワーヘッドの角度によって回転トルクをかけないようにシャワーハンガーを上下に摺動させることができる。したがって、シャワーハンガーの傾動による手すりの傷みを防止できるとともに、操作性が良くなる。
【００２３】
また、ハンガー部は貫通孔と逆の方向に開放する切欠きを有しているので、手すりに対するハンガー部の設置角度がどの位置であっても、ハンガー部に対してシャワーヘッドを容易に掛け外しすることができる。したがって、右利きの人はハンガー部が手すりの右側に位置させればよく、左利きの人は左側に位置させればよい。あるいは手前側に位置させるなど、任意に変更可能であり、使い勝手が良い。
【図面の簡単な説明】
【図１】  本発明のスライド式シャワーハンガーの斜視図であり、（Ａ）はシャワーハンガーを右利きの人が使用した状態を示しており、（Ｂ）は同シャワーハンガーを回動して左利きの人が使用した状態を示している。
【図２】  前記シャワーハンガーの分解斜視図である。
【図３】  前記シャワーハンガーの水平断面図である。
【図４】  前記シャワーハンガーの縦断面図である。
【図５】  前記シャワーハンガーの動作を示す説明用の部分横断面図であり、（Ａ）は前記シャワーハンガーの回動およびスライドの開放状態を表わしており、（Ｂ）は固定状態を表わしている。
【符号の説明】
１…スライド式シャワーハンガー、２…手すり、３…貫通孔、３ｂ…手すり受け、４…シャワーヘッド、５…ハンガー部、６…操作レバー。
【図１】
0004169815.tif 000002
【図２】
0004169815.tif 000003
【図３】
0004169815.tif 000004
【図４】
0004169815.tif 000005
【図５】
0004169815.tif 000006